(57)【要約】      （修正有）【課題】髭剃りに際し、シェービング剤を顔に塗ったりせずに、すぐに剃り始められる、シェービング剤格納カートリッジ付き安全カミソリを提供する。【解決手段】剃刀の柄部がほぼそっくりシェービング剤格納カートリッジになった様な形であり、シェービング剤が詰められたカートリッジ本体２の手前側から、カートリッジシリンダー部３がねじ回し式に摺動して、シェービング剤が先端側に押し出され、カートリッジ取付け差込部５及びカートリッジ取付け受け部６を経由して刃取付け部１３へ流れ、刃取付け部の配給等分仕切り８によって２枚の取付け刃１２に均等に分け流れ、剃り進む刃先の間から同時に顔に塗られる。【選択図】図１
0003206637.tif 000002
【実用新案登録請求の範囲】
【請求項１】
予めシェービング剤を封入してあるシェービング剤格納カートリッジを、刃体の根元に取付けたシェービング剤付き安全カミソリであって、
シェービング剤格納カートリッジは、カートリッジ本体と、その一端側に挿入された形で、ネジ回し式に摺動するところのシリンダーが結合されたカートリッジシリンダー部から成り、
カートリッジシリンダー部において、カートリッジ本体側と反対側の端部に、シリンダーの長さ方向に直交する形で、シリンダーの径よりも大きい径で成る円盤状の回し取っ手を設けてあり、回し取っ手から先端に至るシリンダーの外周壁全面に螺旋状にネジ山が形設されており、
カートリッジ本体において、シリンダー先端域を挿入された根元部から先端の少し手前までの内壁全面に、シリンダーのネジ山に符合する形で、螺旋状にネジ溝が形設してあり、ネジ溝先端から先は、径が僅かに小さくなってカートリッジ取付け差込部を成し、刃体の根元即ちカートリッジ取付け受け部に挿入嵌合された形で一体的に結合されており、
刃体において、根元を成すカートリッジ取付け受け部から先端の刃取付け部までは、シェービング剤の流れる通路として管体状であり、先端に２枚の取付け刃が設置されているが、取付け刃の直ぐ手前位置の中央に、シェービング剤格納カートリッジから押し出されて来るシェービング剤が取付け刃に向かう流れに沿う形で、シェービング剤を２枚の取付け刃に均等に配分するための、配給等分仕切りが設けてあることを特徴とするシェービング剤格納カートリッジ付き安全カミソリ。
【考案の詳細な説明】
【技術分野】
【０００１】  ひげを剃る時、カミソリを顔に当てる前に、別途にシェービング剤を手に取って顔に塗るという作業を要せず、カミソリの刃の間からシェービング剤が出てくる髭剃り安全カミソリに関するものである。
【背景技術】
【０００２】  従来、シェービング剤は安全カミソリとは別個に用意されねばならなかった。
【考案の概要】
【考案が解決しようとする課題】
【０００３】  従来、ひげ剃り時には、安全カミソリと別に容器に入ったシェービング剤が用意されねばならず、カミソリを当てる前に、シェービング剤を容器から手の平に取り分け、顔に塗るという面倒な作業を伴った。旅行に行く際にも、安全カミソリだけでなく、シェービング剤容器も忘れずにバッグに詰めねばならなかった。
【課題を解決するための手段】
【０００４】  予めシェービング剤を封入してあるシェービング剤格納カートリッジを、刃体の根元に取付けたシェービング剤付き安全カミソリである。
シェービング剤格納カートリッジは、カートリッジ本体と、その一端側に挿入された形で、ネジ回し式に摺動するところのシリンダーが結合されたカートリッジシリンダー部から成る。
カートリッジシリンダー部において、カートリッジ本体側と反対側の端部に、シリンダーの長さ方向に直交する形で、シリンダーの径よりも大きい径で成る円盤状の回し取っ手を設けてあり、回し取っ手から先端に至るシリンダーの外周壁全面に螺旋状にネジ山が形設されている。
カートリッジ本体において、シリンダー先端域を挿入された根元部から先端の少し手前までの内壁全面に、シリンダーのネジ山に符合する形で、螺旋状にネジ溝が形設してあり、ネジ溝先端から先は、径が僅かに小さくなってカートリッジ取付け差込部を成し、刃体の根元即ちカートリッジ取付け受け部に挿入嵌合された形で一体的に結合されている。
刃体において、根元を成すカートリッジ取付け受け部から先端の刃取付け部までは、シェービング剤の流れる通路として管体状であり、先端に２枚の取付け刃が設置されているが、取付け刃の直ぐ手前位置の中央に、シェービング剤格納カートリッジから押し出されて来るシェービング剤が取付け刃に向かう流れに沿う形で、シェービング剤を２枚の取付け刃に均等に配分するための、配給等分仕切りが設けてある。
以上を特徴とするシェービング剤格納カートリッジ付き安全カミソリである。
【考案の効果】
【０００５】  髭剃り安全カミソリとシェービング剤を別々に用意する必要がなく、シェービング剤格納カートリッジからシリンダーで押し出されたシェービング剤が、カミソリが剃り進む中で自ずとカミソリ刃の間か出てくるので、髭剃りのスタートがとてもスムーズである。
数回の髭剃りでシェービング剤がなくなってきたら、シェービング剤格納カートリッジを取り換えればよい。
本考案に成る安全カミソリをバッグに入れておけば、旅行や外泊時にも、別個にシェービングクリーム等を用意する必要もない。
【図面の簡単な説明】
【０００６】
【図１】  本考案の断面図
【図２】  本考案の一部である刃取付け部における配給等分仕切りの位置を、取付け刃の側から分かり易く見せた正面図
【考案を実施するための形態】
【０００７】  以下、本考案の実施の形態を説明する。
予めゼリー状シェービング剤（７）を封入してあるシェービング剤格納カートリッジ（１）を、刃体（９）の根元に取付けたシェービング剤付き安全カミソリである。
シェービング剤格納カートリッジ（１）は、カートリッジ本体（２）と、その一端側に挿入された形でネジ回し式に摺動するところの、シリンダーが結合されてカートリッジシリンダー部（３）から成る。
カートリッジシリンダー部（３）において、カートリッジ本体（２）側と反対側の端部に、シリンダーの長さ方向に直交する形で、シリンダーの径よりも大きい径で成る円盤状の回し取っ手（４）を設けてあり、回し取っ手（４）から先端に至るシリンダーの外周壁全面に螺旋状にネジ山（１０）が形設されている。
カートリッジ本体（２）において、シリンダー先端域を挿入された根元部から先端の少し手前までの内壁全面に、シリンダーのネジ山（１０）に符合する形で、螺旋状にネジ溝（１１）が形設してあり、ネジ溝（１１）先端から先は、径が僅かに小さくなってカートリッジ取付け差込部（５）を成し、刃体の根元即ちカートリッジ取付け受け部（６）に挿入嵌合された形で一体的に結合されている。
刃体（９）において、根元を成すカートリッジ取付け受け部（６）から先端の刃取付け部（１３）まではシェービング剤（７）の流れる通路として管体状であり、先端に２枚の取付け刃（１２）が設置されているが、取付け刃（１２）の直ぐ手前位置の中央に、シェービング剤格納カートリッジ（１）から押し出されて来るシェービング剤（７ｂ）が取付け刃（１２）に向かう流れに沿う形で、シェービング剤（７ｂ）を２枚の取付け刃（１２）に均等に配分するための、配給等分仕切り（８）が設けてある。
本考案は以上の様な構成であり、以下、その具体的な使用方法を説明する。
カミソリを手にして、カートリッジシリンダー部を押してシェービング剤を刃体に移動させ、シェービング剤格納カートリッジの部分を柄として握り、普通にカミソリを操作し剃り進むだけでよい。剃り進むカミソリの刃の間からは、自ずとシェービング剤が流れ出てきて、取付け刃の進行を滑らかに助けてくれる。剃り始める前に下塗りし、途中で乾いてカミソリの刃が滑らかに進まなくなった部分域にはその都度塗り足しながらしながら剃って行くという面倒さはまったく無用である。カートリッジ本体内のシェービング剤が無くなってきたら、刃体の根元からシェービング剤格納カートリッジを外しァｔらしいものと取り換えればよい。
【符号の説明】
【０００８】１  シェービング格納カートリッジ，      ２  カートリッジ本体，
３  カートリッジシリンダー部，      ４  回し取っ手，
５  カートリッジ取付け差込部，      ６  カートリッジ取付け受け部，
７  シェービング剤，      ７ａ  シェービング剤，
７ｂ  シェービング剤，８  配給等分仕切り，      ９  刃体，
１０  ネジ山，      １１  ネジ溝，      １２  取付け刃，
１３  刃取付け部
【図１】
0003206637.tif 000003
【図２】
0003206637.tif 000004